(57)【要約】【課題】商品の盗難を確実に防止ことのできる自動販売機の商品取出口構造を提供する。【解決手段】搬出扉５０の開放を規制する防盗機構６０を備え、防盗機構６０を互いに回動自在に連結された第１の防盗板６１、第２の防盗板６２及び第３の防盗板６３を連結することにより構成し、第１の防盗板６１を後方に回動させると、第２の防盗板６２及び第３の防盗板６３が連動して後方に回動して搬出扉５０の開放を規制するようにしたので、搬出扉５０が第１の防盗板６１に直接当接する前に搬出扉５０の開放を規制することができ、商品Ａの抜き取りを確実に防止することができる。更に、防盗機構６０を一枚の板状部材によって形成する場合に比べて強度を高めることができる。【選択図】図１
2005056273.tif 000002
【特許請求の範囲】
【請求項１】
商品取出口の内部後方に、商品取出口に商品を搬出する商品搬出口を備え、商品搬出口には上端側を回動自在に支持された搬出扉が設けられた自動販売機の商品取出口構造において、
前記商品取出口内の上部前面側に一端を回動自在に支持された第１の防盗板と、第１の防盗板の他端側に一端を回動自在に連結された第２の防盗板と、第２の防盗板の他端に一端を回動自在に連結され、他端を商品取出口内の上部背面側に回動自在に支持された第３の防盗板とを有する防盗機構を備え、
防盗機構を、第１の防盗板の後方への回動に連動して後方に回動する第２の防盗板及び第３の防盗板によって搬出扉の開放を規制するように構成した
ことを特徴とする自動販売機の商品取出口構造。
【請求項２】
前記第１の防盗板を前方に付勢することによって防盗機構を前方の所定位置に保持する付勢手段を備えた
ことを特徴とする請求項１記載の自動販売機の商品取出口構造。
【請求項３】
前記防盗機構の前方所定位置に、防盗機構の前方への回動を規制する回動規制部材を設けた
ことを特徴とする請求項１または２記載の自動販売機の商品取出口構造
【請求項４】
前記防盗機構を着脱自在に構成した
ことを特徴とする請求項１、２または３記載の自動販売機の商品取出口構造。
【発明の詳細な説明】
【技術分野】
【０００１】
本発明は、缶、ビンまたはペットボトル入り飲料等の商品を販売する自動販売機の商品取出口に関するものである。
【背景技術】
【０００２】
従来、この種の自動販売機の商品取出口構造としては、自動販売機本体内部の商品の盗難を防止するために、商品取出口内の上部に防盗板を前後方向に回動自在に取付けたものが知られている。これにより、自動販売機本体から商品が搬出される商品搬出口に設けられた搬出扉を開放しようとすると、防盗板の下端が搬出扉に当接して搬出扉の開放を規制するようになっている。しかしながら、防盗板を前面側に強制的に回動させることにより、防盗板が変形して搬出扉の開放を規制することができなくなるという欠点があった。そこで、防盗板の前面側への回動を防盗板の左右両端に設けたストッパ板及び防盗板の背面側中央上部に設けられたリンク状の部材により強固に規制するようにしたものも知られている（例えば、特許文献１参照）。
【特許文献１】特開平９−１２８６０８号公報
【発明の開示】
【発明が解決しようとする課題】
【０００３】
しかし、従来の自動販売機の商品取出口構造では、搬出扉の開放の規制は防盗板の下端に当接することによってなされていたために、防盗板の下端が当接するまでは搬出扉の開放を規制することはできず、手が挿入されて商品が抜き取られるという問題点があった。また、防盗板は平板で形成されているため、防盗板の強度が弱いという問題点があった。
【０００４】
本発明は前記問題点に鑑みてなされたものであり、その目的とするところは、商品の盗難を確実に防止ことのできる自動販売機の商品取出口構造を提供することにある。
【課題を解決するための手段】
【０００５】
本発明は前記目的を達成するために、請求項１では、商品取出口の内部後方に、商品取出口に商品を搬出する商品搬出口を備え、商品搬出口には上端側を回動自在に支持された搬出扉が設けられた自動販売機の商品取出口構造において、前記商品取出口内の上部前面側に一端を回動自在に支持された第１の防盗板と、第１の防盗板の他端側に一端を回動自在に連結された第２の防盗板と、第２の防盗板の他端に一端を回動自在に連結され、他端を商品取出口内の上部背面側に回動自在に支持された第３の防盗板とを有する防盗機構を備え、防盗機構を、第１の防盗板の後方への回動に連動して後方に回動する第２の防盗板及び第３の防盗板によって搬出扉の開放を規制するように構成している。これにより、第１の防盗板を後方へ回動させると、第２の防盗板及び第３の防盗板が連動して後方に回動することから、搬出扉が第１の防盗板に直接当接する前に、第２及び第３の防盗板によって搬出扉の開放が規制される。
【０００６】
また、請求項２では、請求項１の自動販売機の商品取出口構造において、前記第１の防盗板を前方に付勢することによって防盗機構を前方の所定位置に保持する付勢手段を備えている。これにより、請求項１の作用に加え、防盗機構の各防盗板が付勢手段によって前方の所定位置に保持されることから、通常の商品搬出時における搬出扉の開放が妨げられることはない。
【０００７】
また、請求項３では、請求項１または２の自動販売機の商品取出口構造において、前記防盗機構の前方所定位置に、防盗機構の前方への回動を規制する回動規制部材を設けている。これにより、請求項１または２の作用に加え、前方に付勢された防盗機構の回動が前方所定位置で規制されることから、防盗機構を強制的に前面側へ回動させた場合においても防盗機構の回動が確実に規制される。
【０００８】
また、請求項４では、請求項１、２または３の自動販売機の商品取出口構造において、前記防盗機構を着脱自在に構成している。これにより、請求項１、２または３の作用に加え、防盗機構が着脱自在に構成されていることから、防盗機構を必要に応じて装着することが可能となる。
【発明の効果】
【０００９】
請求項１の自動販売機の取出口構造によれば、第１の防盗板を後方に回動させると、搬出扉が第１の防盗板に直接当接する前に搬出扉の開放を規制することができるので、搬出扉の開放を確実に規制して商品の抜き取りを防止することができる。更に、第１の防盗板、第２の防盗板及び第３の防盗板を互いに連結することにより防盗機構を構成したので、防盗機構を一枚の板状部材によって形成する場合に比べて強度を高めることができる。
【００１０】
また、請求項２では、請求項１の効果に加え、防盗機構を前方所定位置に付勢することができるので、搬出扉から商品を搬出する際に、搬出扉の開放を妨げることがなく、搬出時の不具合を防止することができる。
【００１１】
また、請求項３では、請求項１または２の効果に加え、前方に付勢された防盗機構の回動が規制されるとともに、防盗機構を強制的に前面側へ回動させた場合においても回動規制部材によって防盗機構の回動を規制することができるので、防盗機構を確実に動作させることができる。
【００１２】
また、請求項４では、請求項１、２または３の効果に加え、防盗機構を必要に応じて装着することができるので、例えば店舗内に設置されている場合など、盗難の危険性の少ない自動販売機に対しては防盗機構を取外して使用することにより、容易に商品を取出すことができる。
【発明を実施するための最良の形態】
【００１３】
図１乃至図６は本発明の一実施形態を示すもので、図１は商品取出口の側面断面図、図２は防盗機構の斜視図、図３及び図４は防盗機構の動作を示す側面断面図、図５は防盗機構の要部斜視図、図６は防盗機構を取外した状態の商品取出口の側面断面図である。
【００１４】
この自動販売機の商品取出口構造は、商品取出口１０内の下方に配置された商品受容部２０と、商品取出口１０を開閉する開閉扉３０と、自動販売機本体の図示しない商品収納庫から商品Ａを搬出する商品搬出口４０と、商品搬出口４０を開閉する搬出扉５０と、商品取出口１０内の上部に配置された防盗機構６０と、防盗機構６０の前面に配置された回動規制部材７０とから構成されている。
【００１５】
商品取出口１０は、自動販売機の外扉下部に設けられ、商品取出口１０内の上部には前下りに傾斜する上面板１１が設けられている。
【００１６】
商品受容部２０は、商品取出口１０内の下部に設けられ、商品受容部２０の背面側には商品搬出口４０が配置されている。
【００１７】
開閉扉３０は、商品取出口１０を外部から覆うように形成され、商品取出口１０の上部に上端を回動自在に支持されている。
【００１８】
搬出扉５０は、商品収納庫の下部に位置する商品搬出口４０の上部に上端を回動自在に支持されている。
【００１９】
防盗機構６０は、第１の防盗板６１、第２の防盗板６２、第３の防盗板６３及び上面板１１を連結することにより構成されている。
【００２０】
第１の防盗板６１は、幅方向に延びる板状に形成され、上端を上面板１１の前面側に第１の連結軸６４を介して連結されるとともに、下端側を第２の防盗板６２の下端に第２の連結軸６５を介して連結されている。このとき、第１の防盗板６１の下端側は、第１の連結軸６４に巻回されたバネ６４ａによって商品取出口１０側に付勢されている。また、第１の防盗板６１の上端はＵ字状に折返すことにより第１の連結軸６４に係合するように形成されている。
【００２１】
第２の防盗板６２は、幅方向に延びる板状に形成され、下端を第１の防盗板６１の下端側に第２の連結軸６５を介して連結されるとともに、上端を第３の防盗板６３の下端に第３の連結軸６６を介して連結されている。また、第２の防盗板６２の第３の連結軸６６の一端側にストッパ部６２ａが設けられ、ストッパ部６２ａは第３の連結軸６６が挿脱可能なように前後方向に弾性変形可能に設けられている。
【００２２】
第３の防盗板６３は、幅方向に延びる板状に形成され、下端を第２の防盗板６２の上端に第３の連結軸６６を介して連結されるとともに、上端を上面板１１の背面側に第４の連結軸６７を介して連結されている。
【００２３】
回動規制部材７０は上下方向に延びる板状の部材からなり、防盗機構６０の前面側の左右両端に設けられている。
【００２４】
以上のように構成された自動販売機の取出口構造においては、自動販売機本体内の商品収納庫から商品Ａが搬出されると、商品搬出口４０の搬出扉５０が商品Ａによって押し開けられ、商品Ａが商品受容部２０に搬出される。このとき、防盗機構６０は第１の連結軸６４のバネ６４ａによって商品取出口１０側に付勢されているので、搬出扉５０を開閉する際の妨げになることはない。
【００２５】
商品Ａを取出すときは、利用者が開閉扉３０を開けて手を挿入する際に第１の防盗板６１に手が接触する。これにより、防盗機構６０の第１の防盗板６１が後方に押込まれると、図３に示すように第２の防盗板６２及び第３の防盗板６３が後方に回動することにより、第２の防盗板６２及び第３の防盗板６３によって搬出扉５０の開放が規制される。第１の防盗板６１が更に後方に押込まれると、図４に示すように第１の防盗板６１の下端部により搬出扉５０の開放が規制される。
【００２６】
従って、不正に商品Ａを取出す目的で手を挿入した場合は、防盗機構６０により常に搬出扉５０の開放が規制され、搬出扉５０を開けることはできない。また、防盗機構６０を前面側に回動させようとしても、第１の防盗板６１が回動規制部材７０に当接して前面側への回動が規制される。
【００２７】
また、防盗機構６０は、以下のようにして取外すことが可能である。即ち、図５に示すように第２の防盗板６２のストッパ部６２ａを弾性変形させ、第３の連結軸６６を引抜いた後、第１の連結軸６４から第１の防盗板６１を取外すことにより、第１の防盗板６１及び第２の防盗板６２が取外される。取外された第１の防盗板６１及び第２の防盗板６２は、図６に示すように商品受容部２０の下方に取付可能になっている。
【００２８】
このように、本実施形態の自動販売機の取出口構造によれば、搬出扉５０の開放を規制する防盗機構６０を備え、防盗機構６０を互いに回動自在に連結された第１の防盗板６１、第２の防盗板６２及び第３の防盗板６３を連結することにより構成し、第１の防盗板６１を後方に回動させると、第２の防盗板６２及び第３の防盗板６３が連動して後方に回動して搬出扉５０の開放を規制するようにしたので、搬出扉５０が第１の防盗板６１に直接当接する前に搬出扉５０の開放を規制することができ、商品Ａの抜き取りを確実に防止することができる。更に、防盗機構６０を一枚の板状部材によって形成する場合に比べて強度を高めることができる。
【００２９】
また、第１の防盗板６１を前方に付勢するバネ６４ａを備え、防盗機構６０を所定位置に保持するようにしたので、通常は防盗機構６０を前方所定位置に保持させることができ、搬出扉５０から商品Ａを搬出する際に、搬出扉５０の開放を妨げることがなく、搬出時の不具合を防止することができる。
【００３０】
また、防盗機構６０の前面側に、防盗機構６０の前面側への回動を規制する回動規制部材７０を設けたので、前方に付勢された防盗機構６０の回動が規制されるとともに、防盗機構６０を強制的に前方へ回動させた場合においても回動規制部材７０によって防盗機構６０の回動を規制することができ、防盗機構６０を確実に動作させることができる。
【００３１】
また、防盗機構６０を着脱自在に構成したので、防盗機構６０を必要に応じて装着することができ、設置状況に応じた利用をすることができる。例えば店舗内に設置されている場合など、盗難の危険性の少ない自動販売機に対しては防盗機構６０を取外して使用することにより、容易に商品Ａを取出すことができる。
【図面の簡単な説明】
【００３２】
【図１】本発明の一実施形態を示す自動販売機の商品取出口構造の側面断面図
【図２】防盗機構の斜視図
【図３】防盗機構の動作を示す商品取出口の側面断面図
【図４】防盗機構の動作を示す商品取出口の側面断面図
【図５】防盗機構の要部斜視図
【図６】防盗機構を取外した状態の商品取出口の側面断面図
【符号の説明】
【００３３】
１０…商品取出口、４０…商品搬出口、５０…搬出扉、６０…防盗機構、６１…第１の防盗板、６２…第２の防盗板、６３…第３の防盗板、６４ａ…バネ、７０…回動規制部材。
【図１】
2005056273.tif 000003
【図２】
2005056273.tif 000004
【図３】
2005056273.tif 000005
【図４】
2005056273.tif 000006
【図５】
2005056273.tif 000007
【図６】
2005056273.tif 000008